(57)【要約】【課題】不正開放を抑制すると共に、賞球確認作業等の効率性低下を極力抑えた入賞装置を提供する。【解決手段】入賞装置２０は、入賞を許容・規制する開閉扉２７と、ソレノイドと、ソレノイドにより揺動駆動されて、開閉扉２７に設けた開放規制片２８に延出片４２が当接して開閉扉２７の開放を規制する第１姿勢および開閉扉２７に設けた開放係合片２６を押し上げて開閉扉２７を開放する第２姿勢に姿勢変位可能な揺動部材２４とを備える。揺動部材２４の延出片４２は、第１姿勢において該揺動部材２４の揺動中心Ｏ1と開閉扉２７の回動中心Ｏ2とを結ぶ基準線Ｌよりも下方で開閉扉２７の開放規制片２８に当接される。揺動部材２４の延出片４２の形状は、第１姿勢において開閉扉２７を強制開放させた際に開閉扉２７を介して揺動部材２４に作用する強制開放力Ｆが、抵抗力Ｆ1と回転力Ｆ2とに分解されるよう設定される。【選択図】図５
2007330387.tif 000002
【特許請求の範囲】
【請求項１】
遊技盤に取付けられた装置本体に開閉可能に配設され、開放時に遊技球の入賞を許容すると共に閉成時に遊技球の入賞を規制する開閉扉と、前記装置本体に配設された駆動手段と、前記駆動手段により揺動駆動されて、前記開閉扉に設けた規制部に当接部が当接して該開閉扉の開放を規制する第１姿勢および前記開閉扉に設けた突部を押し上げて該開閉扉を開放する第２姿勢に姿勢変位可能な揺動部材とを備えた入賞装置において、
前記揺動部材の当接部は、第１姿勢において該揺動部材の揺動中心と開閉扉の回動中心とを結ぶ基準線よりも下方で開閉扉の規制部に当接し、
前記揺動部材の当接部を、第１姿勢において開閉扉を強制開放させた際に該開閉扉を介して揺動部材に作用する力が、当接部と規制部との接点から前記揺動中心方向への抵抗力と、揺動部材の第１姿勢から第２姿勢へ向かう開放方向への回転力とに分解される形状とした
ことを特徴とする入賞装置。
【請求項２】
前記当接部における前記接点での当接面は、第１姿勢において、上方から下方に向けて前記開閉扉から離間するよう傾斜している請求項１記載の入賞装置。
【発明の詳細な説明】
【技術分野】
【０００１】
この発明は、遊技盤に設置された開閉扉が開閉することで、遊技球の入賞口への入賞が許容・阻止される入賞装置に関するものである。
【背景技術】
【０００２】
代表的な遊技機であるパチンコ式遊技機は、機内にセットされる遊技盤の遊技領域に、各種図柄を変動および停止表示することで図柄変動ゲームを行なう液晶式やドラム式等の図柄表示装置が配設され、遊技盤の下方位置に、図柄表示装置での図柄変動ゲームを開始させる契機となる始動入賞具が配設されている。また、始動入賞具の下方位置には、特別遊技の発生時にのみ開放して遊技球の入賞を許容する特別入賞装置(入賞装置)が配設されており、該特別入賞装置に遊技球が入賞することで、遊技機裏側に配設した球払出装置により、機表側に設けた球皿に賞球が払出されるようになっている。
【０００３】
図８は、従来から使用される一般的な入賞装置６０の主要部を示す概略説明図であって、遊技盤の前面に開閉自在に設けられる開閉扉６２と、該開閉扉６２の駆動源としてのソレノイド(図示せず)と、該ソレノイドのプランジャを開閉扉６２に連結する揺動部材６４とから基本的に構成される。前記開閉扉６２の裏面には、上下の突部６６,６８によって略Ｕ字状に形成された係合部７０が設けられ、前記揺動部材６４の基部７２から前方側へ延出する延出片７４の開放端(当接部)７４ａが、該係合部７０の内部に臨んだ状態で係合している。前記揺動部材６４の基部７２は、その上部でソレノイドのプランジャと連繋しており、該プランジャが往復駆動することで、揺動部材６４は揺動軸を中心に揺動されるようになっている。すなわち、ソレノイドの非励磁状態にあっては、図８(ａ)に示すように、前記揺動部材６４は前記延出片７４を下方傾斜させた姿勢に維持されて、前記当接部７４ａを前記開閉扉６２の下側の突部６８に上方から当接して該開閉扉６２の自由開放を規制している。一方、前記ソレノイドの励磁状態にあっては、前記揺動部材６４が揺動されて前記延出片７４を上昇させ、これにより開閉扉６２の上側の突部６６が当接部７４ａに押し上げられて開閉扉６２を開放するようになっている。
【０００４】
ところで、遊技機の検査工程で実施される前記入賞装置６０の賞球確認作業においては、ソレノイドの非励磁状態に開閉扉６２を強制的に開放させて遊技球を入賞させる必要がある。また、遊技中の不具合により遊技球の補償をする場合にも、前記開閉扉６２を強制的に開放させる事態が生ずる。そのため、従来の入賞装置６０は、図８(ａ)に示すように開閉扉６２が閉成状態にあっても、手指で開閉扉６２を強制的に開放させれば、図８(ｂ)に示すように、プランジャの効力に逆らい比較的容易に開閉扉６２を開放し得る構成とされている。
【０００５】
ところが、このような開閉扉６２が比較的容易に開放し得るのを逆手にとり、セル板やピアノ線等を用いて開閉扉６２を不正に開放し、賞球を獲得してしまうゴト行為が頻発している。すなわち、遊技機の球受皿の球排出口に、持ち込んだ器具で小孔を開設し、鉤状に折り曲げられた不正器具を該小孔を介して遊技領域へ侵入させ、開閉扉６２を強制的に開放させる不正行為を行なうものであり、遊技店に大きな損害を与える問題となっている。そこで、特許文献１には、ソレノイドの非励磁状態においては、開閉扉の開放を規制するロック機構を備えた入賞装置が提案されている。特許文献１に開示の入賞装置によれば、ソレノイドの非励磁状態においては前記ロック機構が常に開閉扉をロックするようになっており、上記不正行為を好適に防止し得るものである。
【特許文献１】特開２０００−２７９５８５号公報
【発明の開示】
【発明が解決しようとする課題】
【０００６】
特許文献１の入賞装置は、ソレノイドの非励磁状態の際に、前記ロック機構が常に開閉扉をロックした状態にあるので、開閉扉を手指で開放させることは完全に不能とされている。そこで、賞球確認や賞球補償を行なう場合には、入賞装置の前面に開設した挿通孔に操作桿を挿入させて、該操作桿によりプランジャを押し込むことで開閉扉を開放させるようになっている。しかしながら、このような挿通孔を介して操作桿を挿通させる作業は、非常に煩雑であり、作業効率が低下してしまう難点が指摘される。特に、賞球補償については、遊技客を待たせないよう迅速な作業が要求される。
【０００７】
そこで本発明は、従来の入賞装置に内在する前記問題に鑑み、これを好適に解決するべく提案されたものであって、開閉扉を不正に開放し難くすると共に、賞球確認や賞球補償時等における開放作業の作業性の低下も抑制し得る入賞装置を提供することを目的とする。
【課題を解決するための手段】
【０００８】
前記課題を克服し、所期の目的を達成するため、請求項１に係る入賞装置は、
遊技盤(10)に取付けられた装置本体(21)に開閉可能に配設され、開放時に遊技球の入賞を許容すると共に閉成時に遊技球の入賞を規制する開閉扉(27)と、前記装置本体(21)に配設された駆動手段(32)と、前記駆動手段(32)により揺動駆動されて、前記開閉扉(27)に設けた規制部(28)に当接部(42)が当接して該開閉扉(27)の開放を規制する第１姿勢および前記開閉扉(27)に設けた突部(26)を押し上げて該開閉扉(27)を開放する第２姿勢に姿勢変位可能な揺動部材(24)とを備えた入賞装置において、
前記揺動部材(24)の当接部(42)は、第１姿勢において該揺動部材(24)の揺動中心(O1)と開閉扉(27)の回動中心(O2)とを結ぶ基準線(L)よりも下方で開閉扉(27)の規制部(28)に当接し、
前記揺動部材(24)の当接部(42)を、第１姿勢において開閉扉(27)を強制開放させた際に該開閉扉(27)を介して揺動部材(24)に作用する力(F)が、当接部(42)と規制部(28)との接点(P)から前記揺動中心(O1)方向への抵抗力(F1)と、揺動部材(24)の第１姿勢から第２姿勢へ向かう開放方向への回転力(F2)とに分解される形状としたことを特徴とする。
請求項１の発明によれば、開閉扉を開放する際に該開閉扉を介して揺動部材に作用する力は、該揺動部材の開放方向への回転力と当接部から揺動中心方向への抵抗力に分解される。すなわち、開閉扉を開放させる力は、揺動部材の開放方向への回転力として直接的に全て作用するのではなく、その一部が抵抗力として分解されるので、開閉扉の開放に際して必要な力を大きくすることができる。従って、不正器具による開閉扉の開放が行ない難くなって、ゴト行為の発生を抑制させることが可能となる。また、賞球確認等を行なう場合には、手指により開閉扉を開放させるので、多少の抵抗感があるだけで作業性が低下することは殆どない。
【０００９】
請求項２に係る入賞装置は、前記当接部(42)における前記接点(P)での当接面(N)を、第１姿勢において、上方から下方に向けて前記開閉扉(27)から離間するよう傾斜させた。
請求項２の発明によれば、当接部における接点での当接面を傾斜形状としたので、揺動部材に作用する力を回転力と抵抗力とに分解することが可能となる。
【発明の効果】
【００１０】
本発明に係る入賞装置によれば、開閉扉を開放し難くすることで、不正行為を抑制することができ、また、検査工程における賞球確認や賞球補償等の作業性の低下も最小限に抑え得る。
【発明を実施するための最良の形態】
【００１１】
次に、本発明に係る入賞装置につき、好適な実施例を挙げて、添付図面を参照しながら、以下詳細に説明する。なお実施例では、遊技機として、遊技球を使用して遊技を行なう一般的なパチンコ機を例にして説明する。また、以下の説明において前・後および左・右とは、特に断りのない限り、図１に示すようにパチンコ機の遊技盤を正面側から見た場合において指称するものとする。
【実施例】
【００１２】
図１はパチンコ機に設けられる遊技盤１０の正面図を示す。実施例の遊技盤１０は、矩形状に形成されて、その前面側に略円形状に湾曲するレール１０ａが取付けられており、該レール１０ａにより画成される遊技領域１１に図示しない発射装置によって遊技球(図示せず)を打出すようになっている。また、前記遊技盤１０の上方位置には、各種図柄変動および停止表示可能な液晶式やドラム式等の図柄表示装置１３を備えた大型の装飾部材１４が配設されており、前記遊技領域１１に打出された遊技球が、遊技盤１０の装飾部材１４の下方位置に配設した始動入賞具１６に入賞することで、図柄表示装置１３の図柄を変動させて所要の図柄変動ゲームを開始するようになっている。そして、図柄変動ゲームの結果、前記図柄表示装置１３に特定の図柄組合わせ(例えば、同一図柄の三つ揃)が表示されることで、遊技者に有利な特別遊技(所謂大当り)が発生するよう構成されている。また、前記遊技盤１０の下方位置には、前記特別遊技の発生時に開放して遊技球の入賞を許容する入賞装置２０(後述)が配設され、該入賞装置２０に遊技球が入賞することで、パチンコ機に設けた図示しない球皿に賞球を払出すようになっている。
【００１３】
図２,図３および図７に示すように、前記入賞装置２０は、遊技盤１０の背面(後方)側に取付けられる装置本体２１と、該装置本体２１の前側に設けられて所要の装飾が施された固定装飾板２２とから基本的に構成され、該固定装飾板２２の隅部近傍に形成した４箇所の通孔２２ａ,２２ａ,２２ａ,２２ａを介して遊技盤１０にネジ止め固定される。また、前記固定装飾板２２には、遊技球が通過可能な横長矩形状の入賞口２３が開設され、前記装置本体２１内に画成されて所要の奥行きを有する入賞空間２５の前方開口部と整合している。更に、前記装置本体２１には、図２に示す如く、入賞空間２５に入賞した遊技球を裏側に排出する球排出口３０が設けられる。前記入賞口２３を開閉自在に閉成する開閉扉２７は、前記入賞口２３に略整合する横長矩形板状に形成され、その左右側面の下端部に形成した軸部２７ａ,２７ａ(図４に一方のみ図示)を介して装置本体２１に対して前後方向に揺動可能に枢支される。また、図４および図５に示すように、前記開閉扉２７の裏面における左側部には、後述の揺動部材２４と当接・係合して開閉扉２７の開閉に寄与する開放係合片(突部)２６および開放規制片(規制部)２８が後方へ向けて突出成形されている。
【００１４】
図３に示すように、装置本体２１の左側後部には、ソレノイド(駆動手段)３２が組み付けられ、弾性部材３４により常に前方側へ付勢されるソレノイド３２のプランジャ３６が前後方向へスライド自在に延在している。前記プランジャ３６の前方端に設けられた円盤状の係合板３８は、ソレノイド３２の前方に位置する揺動部材２４と連結している。図４に示すように、この揺動部材２４は、前後に離間して設けた第１,第２係合部２４ａ,２４ｂを備えた基部４０と、該基部４０の前部から前方へ突出する延出片(当接部)４２とから構成され、基部４０に設けられて左右方向に延在する支軸４０ａを介して前記装置本体２１に上下方向に揺動自在に配設される。すなわち、前記プランジャ３６は、前記第１係合部２４ａと第２係合部２４ｂとの間に前記係合板３８が位置して係合することで揺動部材２４に連結しており、該プランジャ３６が前後にスライドすることで揺動部材２４が支軸４０ａを中心として揺動されるようになっている。
【００１５】
また、前記延出片４２の前端は、前記開閉扉２７の閉成時に前記開放規制片２８に当接すると共に、開閉扉２７を開放する際には前記開放係合片２６に下側から当接係合して押し上げるよう設定される。すなわち、図４(ａ)に示すように、前記ソレノイド３２の非励磁状態にあっては、前記プランジャ３６が弾性部材３４によって前方へ伸びた状態となり、前記係合板３８は揺動部材２４の第１係合部２４ａを押圧する。これにより、前記揺動部材２４は、延出片４２を前方側へ下方傾斜させた第１姿勢となって、その前端が開放規制片２８に当接することで開閉扉２７を閉成状態に維持する。また、図４(ｂ)に示すように、前記ソレノイド３２が励磁されると、前記プランジャ３６が弾性部材３４の弾性力に抗して引き込まれ、係合板３８が前記第２係合部２４ｂに係合して前記揺動部材２４を揺動させる。これにより、揺動部材２４は、延出片４２を前方側へ上方傾斜させた第２姿勢となって、該延出片４２で開放係合片２６を押し上げ(跳ね上げ)、開閉扉２７を開放させる。なお、以下の説明では、揺動部材２４の第１姿勢から第２姿勢へ向かう揺動方向を開放揺動方向と呼ぶこととする。
【００１６】
ここで、前記揺動部材２４の延出片４２と開閉扉２７の開放規制片２８との当接構造について、図５を参照に以下詳細な説明を行なう。前記揺動部材２４の揺動中心(支軸４０ａの中心)Ｏ1および開閉扉２７の回動中心(軸部２７ａの中心)Ｏ2を結ぶ線分を基準線Ｌとすると、前記第１姿勢における揺動部材２４の延出片４２と開閉扉２７の開放規制片２８との接点Ｐは、基準線Ｌよりも下方に位置するよう設定されている。また、前記延出片４２の端部には、揺動部材２４の第１姿勢において、上方から下方に向けて開閉扉２７から離間するよう傾斜する当接面Ｎが形成されている。そして、前記揺動部材２４が第１姿勢にある状態で、開閉扉２７に対して開放する向き(前方側)の力を加えると(図５の矢印Ａ参照)、開放規制片２８は前記軸部２７ａを中心に上昇しようとする。すると、前記開放規制片２８と接点Ｐで当接する延出片４２(揺動部材２４)に対し、開放規制片２８から前記当接面Ｎの垂直方向への力(垂直抗力)Ｆとして作用する。すなわち、この力Ｆは、開閉扉２７の強制開放に際し、該開閉扉２７を介して揺動部材２４に作用する力(強制開放力)を意味している。ここで、前記回動中心Ｏ2および接点Ｐを結ぶ線分を回動力線ｌ2とすると、開閉扉２７が回動しようとする現実の力は、回動力線ｌ2に直交する方向(すなわち、開閉扉２７の回動軌跡Ｃ2の接点Ｐにおける接線方向)の力Ｆ'として表される。しかしながら、この回動力Ｆ'は、前記強制開放力Ｆと当接面Ｎに沿う方向の力ｆとに分解され、この力ｆは揺動部材２４を揺動させる力として作用しないので、事実上、揺動部材２４に作用するのは前記強制開放力Ｆであると考えられる。
【００１７】
更に、図５に示すように、前記強制開放力Ｆは、接点Ｐから前記揺動中心Ｏ1方向への分力(抵抗力Ｆ1)と、接点Ｐにおける揺動部材２４の揺動軌跡Ｃ1の接線方向で、かつ揺動部材２４の開放揺動方向への分力(回転力Ｆ2)とに分解することができる。換言すれば、前記延出片４２における当接面Ｎの傾斜形状により、前記揺動部材２４に作用する強制開放力Ｆが、前記接点Ｐおよび揺動中心Ｏ1を結ぶ線分(抵抗作用線ｌ1)よりも開放方向側(図５では上側)の領域で、かつ前記揺動軌跡Ｃ1の接点Ｐにおける接線方向の前記揺動中心Ｏ1側(図５では左側)の領域に延在するようになっている。そして、揺動部材２４は前記支軸４０ａにより支持されているので、前記接点Ｐから揺動中心Ｏ1へ向けて作用する抵抗力Ｆ1は消滅(相殺)し、前記回転力Ｆ2のみが揺動部材２４の揺動に寄与する。すなわち、開閉扉２７を強制開放させるに必要な力(弾性部材３４の弾性力に抗してプランジャ３６を押し込むのに要する力)は、従来よりも多く必要となる。一方、ある程度の力を開閉扉２７に付与した場合には、当然ながら開閉扉２７の強制開放は許容される。
【００１８】
なお、前記延出片４２の当接面Ｎの形状は、前記抵抗作用線ｌ1に対してなす強制開放力Ｆの角度θが、１０°〜７０°の範囲の値となるよう設定される。すなわち、前記角度θの値が小さくなるよう設定すれば、それだけ前記抵抗力Ｆ1が大きくなって強制開放が行ない難くなる(図６(ａ)参照)。従って、角度θが１０°より小さくなると、開閉扉２７の強制開放が非常に困難となり、賞球確認作業に支障を来す畏れがある。反対に、前記角度θを大きく設定した場合には、前記抵抗力Ｆ1が小さくなると共に前記回転力Ｆ2が大きくなって、強制開放が行ない易くなる(図６(ｂ)参照)。従って、角度θが７０°より大きい場合には、強制開放が容易となって、不正行為の防止効果が期待できなくなってしまう。また、前記開放規制片２８における延出片４２と当接する部位の形状については、特に限定されないものの、図５に示す如く、前記延出片４２との引っ掛かり防止のため若干湾曲しているのが望ましい。但し、実施例の如く、必ずしも開放規制片２８の開放端面全体を湾曲させる必要はなく、例えば、開放規制片２８の前記延出片４２と当接する部位に半球状の突部を設けたり、当接する部位のみを湾曲状に形成して、他の部分は平坦状に形成したりしてもよい。
【００１９】
なお、図７に示すように、前記開閉扉２７の表面上部には、後方側へ湾曲するＲ状部４４が形成されている。また、前記固定装飾板２２に開設された入賞口２３の上縁には、閉成時における開閉扉２７の上部裏面が当接する裏板部材４６が入賞口２３の幅方向の全体に延在するよう設けられると共に、該裏板部材４６の上部には前方側へ突出するリブ４８が形成されている。そして、前記リブ４８および裏板部材４６によってスペースＳが画成され、閉成時における開閉扉２７の上部がスペースＳに収容されるようになっている。すなわち、図７(ａ)に示すように、前記開閉扉２７の上下寸法Ｍは、入賞口２３の上下寸法ｍよりも大きく設定され、開閉扉２７は、入賞口２３の内部へ収容されるのではなく、上部を僅かに前方側へ傾斜させて前記裏板部材４６と重なった状態で入賞口２３を閉成するよう構成されている。
【００２０】
このような構造を採用することで、以下に示す効果が奏される。従来の一般的な開閉扉においては、閉成時に開閉扉全体が入賞口の内方に収容される構成とされていた。また近年では、図柄表示装置が大型化する傾向が強まっており、これに伴い入賞装置２０の上下寸法を縮小することが求められている。しかるに、従来の入賞装置は、開閉扉が入賞口の内部に収まる構造とされているため、入賞装置の上下寸法を狭めるには、開閉扉の上下寸法も小さくしなければならない。ところが、開閉扉の上下寸法を小さくすると、特別遊技時において開放した開閉扉で遊技球を確実に受けることできなくなり、入賞装置の上下寸法を小さくするのに限界があった。これに対して、実施例に係る入賞装置２０にあっては、前述の如く、開閉扉２７が入賞口２３を覆うように閉成する構成とされているので、開閉扉２７の上下寸法Ｍを小さくすることなく、入賞口２３の上下寸法ｍのみを小さくすることができる。従って、図柄表示装置１３の大型化に伴ない要求される入賞装置２０の上下寸法の縮小化を好適に実現することができる。なお、図７(ｂ)に示すように、前記リブ４８の形成位置は、前記開閉扉２７を閉成した際に、前記Ｒ状部４４の上端とリブ４８の下端との間が僅かに離間するよう設定され、前記不正器具等を開閉扉２７の上端と入賞口２３との隙間から侵入させ難くなっている。
【００２１】
〔実施例の作用〕
次に、実施例に係る入賞装置２０の作用につき説明する。前記遊技盤１０に設けたレール１０ａに沿って遊技領域１１に打出された遊技球は、遊技盤１０上に設けた遊技釘や風車等に接触して流下方向を変更しながら流下する。このとき前記ソレノイド３２は非励磁状態にあり、図４(ａ)に示すように、前記プランジャ３６が弾性部材３４の弾性力によって前方側へ伸ばされている。従って、前記揺動部材２４が第１姿勢となり、前記延出片４２が前記開放規制片２８と当接して開閉扉２７は閉成状態に維持される。すなわち、ソレノイド３２の非励磁状態にあっては、開閉扉２７は閉成姿勢に維持されて遊技球の入賞が規制される。
【００２２】
前記遊技領域１１を流下する遊技球が前記始動入賞具１６に入賞すると、前記図柄表示装置１３において所要の図柄変動ゲームが開始され、該図柄変動ゲームの結果、図柄表示装置１３に特定の図柄組合わせが表示されると特別遊技が発生する。すると、前記ソレノイド３２が励磁されて、前記プランジャ３６が弾性部材３４の弾性力に抗して引き込まれる。これにより、図４(ｂ)に示すように、前記揺動部材２４が開放方向へ揺動されて、前記延出片４２が前記開放係合片２６を押し上げることで開閉扉２７が開放し、遊技球の入賞口２３への入賞が許容される。所定条件のもと前記特別遊技が終了すると、前記ソレノイド３２への通電が停止して、前記プランジャ３６が弾性部材３４によって前方へスライドされる。これに伴い、前記揺動部材２４が下方へ揺動し、前記延出片４２が開放規制片２８に当接係合して該開放規制片２８を押し下げ、開閉扉２７を閉成させる。
【００２３】
ここで、例えば、鉤状に折り曲げられた線状の不正器具を遊技領域へ侵入させ、閉成状態にある開閉扉２７を強制的に開放させる不正行為が行なわれたとする。すなわち、不正器具を開閉扉２７の上部に引っ掛け、強制的に開閉扉２７を開放させようとした場合、開閉扉２７を介して揺動部材２４に作用する力は、図５に示すように、強制開放力Ｆとして揺動部材２４に作用する。しかるに、前記当接面Ｎには、上方から下方に向かって開閉扉２７から離間する傾斜が付されているので、前記強制開放力Ｆは抵抗力Ｆ1および回転力Ｆ2に分解される。すなわち、揺動部材２４に作用する強制開放力Ｆは、全て揺動部材２４の開放方向への力として作用するのではなく、前記抵抗作用線ｌ1方向への抵抗力Ｆ1は消滅し、回転力Ｆ2のみが寄与することとなる。従って、開閉扉２７を強制開放させるに必要な力が大きくなって、不正行為による開閉扉２７の開放をさせ難くし得る。
【００２４】
また、遊技機の製造工程や遊技店で実施される賞球確認や賞球補償をする場合には、若干大きな力を加えることにより、前記延出片４２と開放規制片２８との当接係合が解除され、開閉扉２７を強制開放させることは可能である。ここで、賞球確認や賞球補償等は、通常、開閉扉２７を手指により開放させて行なうので、該開閉扉２７に力を加え易く、前述した強制開放力Ｆの分解に拘わらず開閉扉２７を比較的容易に開放させることができる。すなわち、実施例に係る入賞装置２０においては、開閉扉２７の強制開放に必要な力が大きくなって、不正行為による開閉扉２７の強制開放を抑制し得るものの、賞球確認等の作業に支障を来す程の力が必要となるものではない。
【００２５】
なお、図７(ａ)および(ｂ)に示すように、開閉扉２７の上部は、前記裏板部材４６およびリブ４８によって固定装飾板２２の入賞口２３上縁に画成されるスペースＳに収容され、Ｒ状部４４の上端とリブ４８の下端との間には僅かな隙間しか存在しない。しかも、前記開閉扉２７の上部は湾曲したＲ状部４４とされているので、閉成時の開閉扉２７の上部に不正器具を挿入して引っ掛けることが非常に困難となり、不正行為を未然に防止することができる。また、実施例においては、開閉扉２７が入賞口２３覆うように閉成する構成とされているので、開閉扉２７の上下寸法Ｍを狭めることなく、入賞口２３の上下寸法ｍのみを小さくすることが可能となり、入賞装置２０の上下寸法を小さくすることができる。
【００２６】
以上に説明したように、実施例に係る入賞装置２０によれば、開閉扉２７を開放する際に該開閉扉２７を介して揺動部材２４に作用する強制開放力Ｆは、該揺動部材２４の開放揺動方向への回転力と当接部から揺動中心方向への抵抗力とに分解される。すなわち、開閉扉２７を開放させる力は、揺動部材２４の開放揺動方向への回転力として直接的に全て加わるのではなく、その一部が抵抗力Ｆ1として分散されるので、開閉扉２７の開放に必要な力を大きくできる。従って、不正器具による開閉扉２７の開放が行ない難くなって、ゴト行為の発生を抑制することが可能となる。また、賞球確認等において手指で開閉扉２７を開放する場合には、若干の抵抗感を感じるだけで作業性が低下することはない。更に、揺動部材２４の当接面Ｎを傾斜形状とすることで、前記強制開放力Ｆが好適に抵抗力Ｆ1と回転力Ｆ2とに分解される。また、当接面Ｎの傾斜角度等を変更すれば、開閉扉２７の開放に要する力の程度を調節することが可能となる。
【００２７】
なお、実施例においては、揺動部材２４の当接面Ｎの形状を傾斜面として構成したが、実施例の如く平面に限られず、前記強制開放力Ｆを、前記抵抗力Ｆ1と回転力Ｆ2とに分解し得る形状であればよい。すなわち、前記当接面Ｎにおける接点Ｐの形状(傾斜角度、曲率等)によって、前記強制開放力Ｆの方向が規定されるのであり、該強制開放力Ｆを抵抗力Ｆ1および回転力Ｆ2に分解し得るのであれば、当接面Ｎの形状を曲面としたり、段差状にしたりしてもよい。
【図面の簡単な説明】
【００２８】
【図１】本発明の実施例に係る入賞装置が実装された遊技機の遊技盤を示す正面図である。
【図２】実施例に係る入賞装置を示す正面図である。
【図３】実施例に係る入賞装置を示す平面図である。
【図４】実施例に係る入賞装置の要部を示す斜視図であって、(ａ)は揺動部材の第１姿勢を示し、(ｂ)は揺動部材の第２姿勢を示す。
【図５】揺動部材と開閉扉との当接構造を示す概略説明図である。
【図６】揺動部材に作用する力と当接面の形状との関係を示す概略説明図であって、(ａ)は抵抗力が大きくなる場合を示し、(ｂ)は回転力が大きくなる場合を示す。
【図７】実施例に係る入賞装置の縦断面図であって、(ａ)は全体図を示し、(ｂ)は要部拡大図である。
【図８】従来の入賞装置の要部を示す概略図であって、(ａ)は開閉扉の閉成状態を示し、(ｂ)は開閉扉の開放状態を示す。
【符号の説明】
【００２９】
１０  遊技盤
２１  装置本体
２６  開放係合片(突部)
２７  開閉扉
２８  開放規制片(規制部)
３２  ソレノイド(駆動手段)
４２  突出片(当接部)
Ｏ1  揺動中心
Ｏ2  回動中心
Ｌ  基準線
Ｐ  接点
Ｆ  強制開放力(力)
Ｆ1  抵抗力
Ｆ2  回転力
Ｎ  当接面
【図１】
2007330387.tif 000003
【図２】
2007330387.tif 000004
【図３】
2007330387.tif 000005
【図４】
2007330387.tif 000006
【図５】
2007330387.tif 000007
【図６】
2007330387.tif 000008
【図７】
2007330387.tif 000009
【図８】
2007330387.tif 000010